(57)【特許請求の範囲】
【請求項１】
映像データおよびオーディオデータが圧縮されて多重化されたトランスポートストリームからなるディジタル放送信号を受信するディジタル放送の受信装置において、
上記受信したディジタル放送信号をデコードするデコーダーと、
再生装置からのトランスポートストリームの受信、および上記再生装置におけるプログラムに関連する情報の、上記再生装置に対する記憶および読み出しをするためのディジタルインターフェースと、
上記ディジタル放送信号に含まれるプログラムに関連する情報と、上記再生装置におけるプログラムに関連する情報とが対応付けられているテーブルを記憶する記憶手段と、
上記ディジタル放送信号から、上記プログラムに関連する情報を抽出し、抽出したプログラムに関連する情報を、上記記憶手段に記憶されたテーブルにおいて対応付けられている上記再生装置におけるプログラムに関連する情報に変換し、上記ディジタルインターフェースを介して、上記再生装置内のメモリに記憶する制御手段と、
上記制御手段により上記再生装置内のメモリに記憶された上記再生装置におけるプログラムに関連する情報を、上記ディジタルインターフェースを介して、上記再生装置内のメモリから読み出す読出し手段と、
上記再生装置におけるプログラムに関連する情報を所定の形式で表示するための表示処理回路とを有し、
上記表示処理回路は、上記読出し手段から読み出された上記再生装置にけるプログラムに関連する情報を、上記記憶手段に記憶されたテーブルにおいて対応付けられている上記ディジタル放送信号に含まれるプログラムに関連する情報に変換し、表示するように表示処理することを特徴とするディジタル放送の受信装置。
【請求項２】
上記ディジタル放送信号に含まれるプログラムに関連する情報は、上記再生装置からの再生信号と重ねて表示されることを特徴とする請求の範囲第１項に記載のディジタル放送の受信装置。
【請求項３】
映像データおよびオーディオデータが圧縮されて多重化されたトランスポートストリームからなるディジタル放送信号を受信するステップと、
上記受信したディジタル放送信号をデコードするステップと、
再生装置からトランスポートストリームをディジタルインターフェース介して受信するステップと、
上記ディジタル放送信号から、プログラムに関連する情報を抽出し、抽出したプログラムに関連する情報を、ディジタル放送信号に含まれるプログラムに関連する情報と、上記再生装置におけるプログラムに関連する情報とが対応付けられているテーブルにおいて対応付けられている上記再生装置におけるプログラムに関連する情報に変換し、上記ディジタルインターフェースを介して、上記再生装置内のメモリに記憶するステップと、
上記再生装置内のメモリに記憶された上記再生装置におけるプログラムに関連する情報を、上記ディジタルインターフェースを介して、上記再生装置内のメモリから読み出す読出しステップと
上記再生装置におけるプログラムに関連する情報を所定の形式で表示するための表示処理ステップとを有し、
上記表示処理ステップは、上記読出しステップにおいて読み出された上記再生装置におけるプログラムに関連する情報を、上記テーブルにおいて対応付けられている上記ディジタル放送信号に含まれるプログラムに関連する情報に変換し、表示するように表示処理することを特徴とするディジタル放送の受信装置における記録プログラム関連情報の表示方法。
【発明の詳細な説明】
技術分野
この発明は番組受信装置、例えばディジタル放送システムにおけるディジタル放送の受信装置及び記録プログラム関連情報の表示方法に関する。
背景技術
近年、ディジタルビデオ機器やディジタルオーディオ機器間でビデオデータやオーディオデータを高速で転送するためのインターフェイスとして、ＩＥＥＥ１３９４が普及し始めている。ＩＥＥＥ１３９４は、アイソクロナス（Ｉｓｏｃｈｒｏｎｏｕｓ）転送モードと、アシンクロナス（Ａｓｙｎｃｈｒｏｎｏｕｓ）転送モードとがサポートされている。アイソクロナス転送モードでは送信の遅延時間が保証されており、ビデオデータやオーディオデータのような時間的に連続するデータストリームを高速転送するのに用いて好適である。アシンクロナス転送モードは、相手先のノードに必ずデータを送信することが保証されており、コマンドやステータス等のデータを確実に転送をするのに用いて好適である。
また、近年、ディジタル衛星放送が普及し始めている。ディジタル衛星放送では、ディジタル映像データ及びオーディオデータがＭＰＥＧ２方式により圧縮され、所定の形式にパケット化される。伝送パケットのヘッダには、ＰＩＤと呼ばれるパケット識別子が設けられる。そして、複数のプログラムの映像パケット及び音声パケットが同一のストリームに多重化されて送信される。
このようなディジタル衛星放送を受信する際には、テレビジョン受像機にＩＲＤ（Ｉｎｔｅｇｒａｔｅｄ  Ｒｅｃｅｉｖｅｒ  Ｄｅｃｏｄｅｒ）と呼ばれるディジタル衛星放送の受信用のデコーダが接続される。パラボラアンテナで受信されたディジタル衛星放送の信号はＩＲＤに供給される。ＩＲＤで、ＭＰＥＧ２のトランスポートストリームが復調され、このＭＰＥＧ２のトランスポートストリームから、ＰＩＤにより、所望のプログラムの映像パケット及び音声パケットが抽出され、この映像パケット及び音声パケットからビデオ信号及びオーディオ信号がデコードされる。このビデオ信号及びオーディオ信号がＩＲＤからテレビジョン受像機に供給される。
このようなディジタル衛星放送を受信するためのＩＲＤに、ＩＥＥＥ１３９４のインターフェイスを設けることが提案されている。ＩＲＤに、ＩＥＥＥ１３９４のインターフェイスを設けると、ＩＲＤとディジタルビデオ記録／再生装置等のディジタル機器を接続して、ディジタル衛星放送の受信及び記録／再生システムが構築できる。そして、このようなシステムを構築すると、ディジタル衛星放送で送られてきたＭＰＥＧ２のトランスポートストリームをそのまま記録／再生するようなこうとが可能になる。
すなわち、記録時には、ＩＲＤ側で受信されたＭＰＥＧ２のトランスポートストリームは、ＩＥＥＥ１３９４のインターフェイスを介して、ディジタルビデオ記録／再生機器に送られる。そして、このＭＰＥＧ２のトランスポートストリームがそのままディジタルビデオ記録／再生装置によりテープカセットに記録される。そして、再生時には、テープカセットからＭＰＥＧ２のトランスポートストリームが再生され、この再生されたＭＰＥＧ２のトランスポートストリームがＩＥＥＥ１３９４のインターフェイスを介して、ＩＲＤに送られる。ＩＲＤで、このＭＰＥＧストリームがデコードされる。
ディジタル衛星放送で送られてきたＭＰＥＧ２のトランスポートストリームをそのまま記録／再生するようなディジタル衛星放送の受信及び記録／再生システムにおけるディジタルビデオカセット記録／再生装置として、同様なテープカセットにディジタル記録とアナログ記録とが行なえるものを用いることが考えられる。この種のディジタルビデオカセット記録／再生装置では、ディジタル衛星放送で送られてきたＭＰＥＧ２のトランスポートストリームをそのままテープカセットに記録／再生できると共に同様なテープカセットにビデオ信号をアナログ記録／再生することができ、既存のビデオソースを広く活用することができる。
しかし、このようなシステムでは、１つのテープカセットにディジタル記録とアナログ記録とが行なえるため、ユーザは、再生して視聴したいプログラムが、ディジタル記録されたものなのか、またはアナログ記録されたものなのか判別することができず、混乱する場合が考えられる。
したがって、例えばユーザが、アナログ記録されていることを知らずに、アナログ記録されたテープカセットをディジタルビデオカセット記録／再生装置に装着し再生した場合には、ディジタルビデオカセット記録／再生装置とＩＲＤとの間では、ＩＥＥＥ１３９４のインターフェイスを介してディジタルで信号が伝送されているため、ディジタルビデオカセット記録／再生装置からの再生信号はＩＲＤに信号が送られず、ＩＲＤを介してテレビジョン受像機に再生画面を映出することができない。この場合には、ディジタルビデオカセット記録／再生装置の出力が直接テレビジョン受像機に与えられるように、テレビジョン受像機の入力を切り換える必要があるが、殆どのユーザは、そのことに気がつかないと考えられる。このため、アナログ記録されたテープカセットが装着されたときに、テレビジョン受像機に画面が映出されなくなり、ユーザに混乱を与える可能性がある。特に、同一のテープカセットに、トランスポートストリームのディジタル信号とアナログのビデオ信号とが混在されて記録されているような場合には、アナログのビデオ信号の部分が再生されるときに、突然、画面が見えなくなるようなことがある。
また、ディジタル衛星放送のサービスを提供している衛星は複数あり、将来、さらに多くのディジタル衛星放送のサービスが開始されようとしている。現在行なわれているディジタル衛星放送のサービスは、基本的には、ＭＰＥＧ２方式のトランスポートストリームを用いるものであるが、ＢＳのディジタルＨＤＴＶ信号のように放送信号が異なっていたり、細部の仕様が異なっている。さらに、将来のディジタル衛星放送サービスでは、仕様が異なるものになると考えられる。このため、システムのディジタルビデオ記録／再生装置に、仕様の異なるトランスポートストリームが記録されたテープカセットが装着される可能性がある。このように、仕様の異なるトランスポートストリームが記録されたテープカセットが装着され再生されると、再生信号をＩＲＤにおいてデコードできず、ＩＲＤを介してテレビジョ受像機に再生画面を映出することができない。このためユーザに混乱を与える可能性がある。
さらに、ＩＥＥＥ１３９４では、複数のディジタルビデオ機器が接続できる。ディジタルビデオ機器には、例えば、ＭＰＥＧ２方式を使わずにディジタルビデオ信号を圧縮して記録する方式のものがある。このような、ＭＰＥＧ２方式以外の方式のディジタルビデオ信号がＩＲＤに入力された場合にも、入力信号をＩＲＤにおいてデコードできず、ＩＲＤを介してテレビジョ受像機に再生画面を映出することができない。このためユーザに混乱を与える可能性がある。
したがって、この発明の目的は、アナログ記録またはディジタル記録されたテープカセット、ＭＰＥＧ２方式以外のディジタルビデオ信号が記録されたテープカセット、または仕様が異なるテレビ放送信号が記録されたをテープカセットを再生するときに、ユーザに混乱を与えることがなく対処できるようにしたディジタル放送の受信装置及びそのための記録プログラム関連情報の表示方法を提供することにある。
発明の開示
この発明は、上述した課題を解決するために、映像データおよびオーディオデータが圧縮されて多重化されたトランスポートストリームからなるディジタル放送信号を受信するディジタル放送の受信装置において、受信したディジタル放送信号をデコードするデコーダーと、再生装置からトランスポートストリームを受信するためのインターフェイスと、再生装置に装着された記録媒体に記録されたプログラムに関連する情報を所定の形式で表示するための表示処理回路とを有する。
発明を実施するための最良の形態
第１の実施例は、アナログ記録されたプログラムのように、ＩＲＤを介して正しく表示できないテープカセットが再生された場合には、警告表示がなされることにより、ユーザが適切なビデオ入力切換えをおこなうことができるというものである。
また、第２の実施例は、テープカセットを再生する場合にテープカセットに記録された各プログラムの記録方式、録画時間、番組情報などを表示することにより、ユーザが再生して視聴したいプログラムがアナログ記録またはディジタル記録されたものか、どのようなテレビ放送信号が記録されたものなのか、さらに番組内容などを判別でき、さらに所望の番組を再生して視聴するために適切なビデオ入力切換えを行なうよう促すというものである。
以下、まず第１の実施例および第２の実施例に共通するシステムの構成について詳述する。
第１図において、１はＩＲＤ、２はディジタルビデオカセット記録／再生装置、３はテレビジョン受像機である。これらＩＲＤ１、ディジタルビデオカセット記録／再生装置２、テレビジョン受像機３により、ディジタル衛星放送の受信及び記録／再生システムが構築される。ＩＲＤ１及びディジタルビデオカセット記録／再生装置２は、ＩＥＥＥ１３９４のインターフェイスを備えており、ＩＲＤ１とディジタルビデオカセット記録／再生装置２とは、ＩＥＥＥ１３９４のインターフェイスのケーブル８を介して接続されている。
ＩＲＤ１は、ディジタル衛星放送の受信信号をデコードし、例えばＮＴＳＣ方式のビデオ信号及びオーディオ信号を形成するものである。ＩＲＤ１のアンテナ端子は、ケーブル６を介して、パラボラアンテナ４に取り付けられている低雑音コンバータ５に接続される。衛星からの電波は、例えば、１２ＧＨｚ帯で送信されてくる。この衛星からの電波は、パラボラアンテナ４で受信され、パラボラアンテナ４に取り付けられた低雑音コンバータ５で、例えば、ＩＧＨｚ帯の信号に変換される。
低雑音コンバータ５の出力がケーブル６を介してＩＲＤ１のアンテナ端子に供給される。ＩＲＤ１で、受信信号の中から所望の搬送波の信号が選択され、ＭＰＥＧ２のトランスポートストリームが復調される。このトランスポートストリームの中から、所望のプログラムの映像パケット及び音声パケットが抽出され、この映像パケット及び音声パケットのデコード処理が行なわれ、例えばＮＴＳＣ方式のビデオ信号及びオーディオ信号がデコードされる。
ＩＲＤ１のビデオ出力端子及びオーディオ出力端子は、ケーブル７を介して、テレビジョン受像機３のビデオ入力端子及びオーディオ入力端子に接続される。ＩＲＤ１でデコードされたビデオ信号及びオーディオ信号は、テレビジョン受像機３のビデオ入力端子及びオーディオ入力端子に供給され、テレビジョン受像機３には、所望のプログラムの受信画面が映出されるとともに、その音声が出力される。
ディジタルビデオカセット記録／再生装置２は、同一のテープカセットでディジタル記録とアナログ記録とが行なえる。ＩＲＤ１とディジタルビデオカセット記録／再生装置２とは、ＩＥＥＥ１３９４のインターフェイスのケーブル８を介して接続される。
また、ディジタルビデオカセット記録／再生装置２のビデオ出力端子及びオーディオ出力端子は、ケーブル９を介して、テレビジョン受像機３のビデオ入力端子及びオーディオ入力端子に接続される。ディジタルビデオカセット記録／再生装置２のアンテナ端子は、ケーブル１０を介して、地上波アンテナ１１に接続される。
このシステムでは、ＩＲＤ１で受信したディジタル衛星放送の受信出力に基づくＭＰＥＧ２のトランスポートストリームを、ディジタルビデオカセット記録／再生装置２で記録／再生させることが可能である。この時の記録方式としては、ＩＲＤの機種によって異なり、シングルプログラム方式とマルチプログラム方式のどちらが一方となる。
シングルプログラム方式のＩＲＤが接続されている場合には、多重化された複数のトランスポートストリームの中から１つのプログラムのトランスポートストリームをＩＲＤで抽出し、抽出されたトランスポートストリームを、ＩＥＥＥ１３９４のインターフェイスを介してディジタルビデオカセット記録／再生装置２に伝送して記録する。マルチプログラム方式のＩＲＤが接続されている場合には、多重化された複数のトランスポートストリームをＩＲＤからディジタルビデオカセット記録／再生装置にＩＥＥＥ１３９４のインターフェイスを介して伝送し、そのまま記録する。ディジタルビデオカセット記録／再生装置は、ＩＥＥＥ１３９４のインターフェイスを介して伝送されてきたトランスポートストリームをそのまま記録するだけであり、マルチプログラム方式のＩＲＤから多重化されたトランスポートストリームが伝送されてくる場合と、シングルプログラム方式のＩＲＤから１つのトランスポートストリームが伝送されてくる場合とでは記録時の処理は何ら変わらない。
また、ディジタルビデオカセット記録／再生装置２は、地上波放送の信号をアナログ処理して、装着されたテープカセットにアナログ記録させることができる。
地上波放送の信号をアナログ処理してテープカセットに記録する場合には、アンテナ１１で地上波放送の信号が受信され、この受信信号がディジタルビデオカセット記録／再生装置２内の地上波チューナ回路に供給される。この地上波チューナ回路で、所望のチャンネルの信号が選択され、受信信号から、アナログビデオ信号とオーディオ信号が復調される。このアナログビデオ信号及びオーディオ信号は、ディジタルビデオカセット記録／再生装置２に装着されたテープカセットにアナログ記録される。
ビデオ信号及びオーディオ信号がアナログ記録されたビデオカセットの再生を行う場合には、このビデオカセットがディジタルビデオカセット記録／再生装置２に装着されて再生される。ディジタルビデオカセット記録／再生装置２で、この再生信号がケーブル９を介してテレビジョン受像機３に送られ、テレビジョン受像機３に、テープカセットから再生されたアナログ信号に基づく受信画面が映出されるとともに、その音声が出力される。同様に、ディジタルビデオカセット記録／再生装置２は、８ミリＶＴＲなどのアナログ機器からのアナログビデオ信号やアナログオーディオ信号を入力し、装着されたテープカセットにアナログ記録することもできる。
第２図は、ＩＲＤ１の構成を示すものである。第１図に示したように、例えば１２ＧＨｚ帯の電波で衛星を介して送られてくるディジタル衛星放送の電波は、パラボラアンテナ４で受信され、パラボラアンテナ４に取り付けられた低雑音コンバータ５で、１ＧＨｚ帯の信号に変換される。この低雑音コンバータ５の出力がケーブル６を介してＩＲＤ１のチューナ回路１０２に供給される。
チューナ回路１０２では、制御用ＣＰＵ（Ｃｅｎｔｒａｌ  Ｐｒｏｃｅｓｓｉｎｇ  Ｕｎｉｔ）１１３からの制御信号にもとづいて、受信信号の中から所定の搬送波周波数の信号を選択する。ＣＯＵ１１３に対して、メモリ１２０が設けられる。選択された搬送波周波数の信号は、復調回路１０３に供給される。復調回路１０３では、例えば、ＱＰＳＫ（Ｑｕａｄｒａｔｕｒｅ  Ｐｈａｓｅ  Ｓｈｉｆｔ  Ｋｅｙｉｎｇ）復調処理が行なわれる。復調された信号は、エラー訂正処理回路１０４に供給される。エラー訂正処理回路１０４ではリードソロモン復号やビタビ復号といった処理が施される。
エラー訂正処理回路１０４の出力は、デスクランブラ１０５に供給される。デスクランブラ１０５には、受信されたＥＣＭ（Ｅｎｔｉｔｌｅｍｅｎｔ  Ｃｏｎｔｒｏｌ  Ｍｅｓｓａｇｅ）データ及びＥＭＭ（Ｅｎｔｉｔｌｅｍｅｎｔ  Ｍａｎａｇｅｍｅｎｔ  Ｍｅｓｓａｇｅ）データが入力されると共に、ＩＣカードスロット１１４に装着されているＩＣカード１１５に記憶されているデスクランブル用の鍵データが供給される。デスクランブラ１０５は、この受信されたＥＣＭデータ及びＥＭＭデータと、ＩＣカード１１５の鍵データを用いて、ＭＰＥＧトランスポートストリームのデスクランブルを行なう。デスクランブルされたＭＰＥＧ２のトランスポートストリームは、デマルチプレクサ１０６に送られる。
デマルチプレクサ１０６は、ＣＰＵ１１３からの指令に基づいて、デスクランブラ１０５からのストリームの中から、所望のパケットを分離するものである。伝送パケットには、ヘッダ部にパケット識別子（ＰＩＤ）が設けられている。デマルチプレクサ１０６で、このＰＩＤに基づいて、所望のプログラムの映像パケット及び音声パケットが抽出される。この所望のプログラムの映像パケットは、ＭＰＥＧ２ビデオデコーダ１０７に送られ、音声パケットは、ＭＰＥＧオーディオデコーダ１１０に送られる。
ＭＰＥＧ２ビデオデコーダ１０７は、デマルチプレクサ１０６からの映像信号のパケットを受け取り、ＭＰＥＧ２方式のデコード処理を行なって、ビデオデータを形成する。このビデオデータは、フォーマットコンバータ１０８に供給される。フォーマットコンバータ１０８では、ＭＰＥＧビデオデコーダから出力されるディジタルビデオ信号を例えばＮＴＳＣ方式のアナログビデオ信号に変換される。
フォーマットコンバータ１０８の出力がアナログビデオ出力端子（図示せず）を介して、テレビジョン受像機３に供給される。
ＭＰＥＧオーディオデコーダ１１０は、デマルチプレクサ１０６からの音声パケットを受け取り、ＭＰＥＧ方式の音声デコード処理を行なって、データ圧縮前のオーディオデータを形成する。デコードされたオーディオデータは、Ｄ／Ａコンバータ１１１でアナログオーディオ信号に変換された後、アナログオーディオ出力端子（図示せず）を介して、テレビジョン受像機３に供給される。
また、パケットストリーム中のＥＰＧデータやＸＭＬデータはデマルチプレクサ１０６で分離され、ＣＰＵ１１３に送られる。ＣＰＵ１１３には、ＸＭＬエンジン１１６が設けられる。
ＩＲＤ１に対する操作指示は、リモートコントローラ１１９によって行われ、リモートコントローラ１１９からのリモコン信号は受光部１１８で受信され、ＣＰＵ１１３に供給される。また、モデム１１７が設けられ、モデム１１７により、課金情報が電話回線を介して放送局又は課金センターへ送られる。
受信信号の搬送波周波数の設定は、視聴者が入力したチャンネル設定信号に基づいて行なわれる。所望のプログラムに設定する時には、ＮＩＴ（Ｎｅｔｗｏｒｋ  Ｉｎｆｏｒｍａｔｉｏｎ  Ｔａｂｌｅ）を参照することにより、チューナ１０２の受信周波数が所定の搬送波周波数に設定される。そして、その搬送波周波数でのチャンネルに関する情報であるＰＡＴ（Ｐｒｏｇｒａｍ  Ａｓｓｏｃｉａｔｉｏｎ  Ｔａｂｌｅ）を参照して、所望のチャンネルに関する情報であるＰＭＴ（Ｐｒｏｇｒａｍ  Ｍａｐ  Ｔａｂｌｅ）のＰＩＤのパケットが抽出される。このＰＭＴを参照することにより、所望のチャンネルの映像、音声、付加データのパケットのＰＩＤが得られる。
また、ＩＲＤ１には、ＩＥＥＥ１３９４のインターフェイス１１２が設けられている。デマルチプレクサ１０６とＩＥＥＥ１３９４のインターフェイス１１２との間は、トランスポートストリームを入／出力することができる。シングルプログラム方式に対応したＩＲＤ１の場合には、デマルチプレクサ１０６で所望のプログラムの映像パケット及び音声パケットが抽出される。そして、この所望のプログラムの映像パケット及び音声パケットからなるＭＰＥＧ２のトランスポートストリームは、デマルチプレクサ１０６から、ＩＥＥＥ１３９４のインターフェイス１１２を介して、ディジタルビデオカセット記録／再生装置２に向けて送られる。マルチプログラム方式に対応したＩＲＤ１の場合には、１つの搬送波周波数で送られてくる複数の多重化されたトランスポートストリームをＩＥＥＥ１３９４のインターフェイス１１２を介して、ディジタルビデオカセット記録／再生装置２に向けて送られる。
また、シングルプログラム方式に対応したＩＲＤ１で、ディジタルビデオカセット記録／再生装置２で再生されたＭＰＥＧ２のトランスポートストリーム（シングルプログラム）をデコードする場合には、ディジタルビデオカセット記録／再生装置２からのＭＰＥＧ２のトランスポートストリームがＩＥＥＥ１３９４のインターフェイス１１２を介して入力され、デマルチプレクサ１０６に送られる。デマルチプレクサ１０６で、このＭＰＥＧ２のトランスポートストリームから、映像パケットと音声パケットとが分離される。映像パケットは、ＭＰＥＧ２ビデオデコーダ１０７に送られてデコードされる。音声パケットは、ＭＰＥＧオーディオデコーダ１１０に送られてデコードされる。シングルプログラム方式に対応したＩＲＤ１で、ディジタルビデオカセット記録／再生装置２で再生されたＭＰＥＧ２のトランスポートストリーム（マルチプログラム）をデコードする場合については、後述する。
また、マルチプログラム方式に対応したＩＲＤ１で、ディジタルビデオカセット記録／再生装置２で再生されたＭＰＥＧ２のトランスポートストリーム（マルチプログラム）をデコードする場合には、ディジタルビデオカセット記録／再生装置２からのＭＰＥＧ２のトランスポートストリームがＩＥＥＥ１３９４のインターフェイス１１２を介して入力され、デマルチプレクサ１０６に送られる。デマルチプレクサ１０６で、ＣＰＵ１１３からの制御信号にもとづいて、所望のプログラムの映像パケットと音声パケットとが分離される。映像パケットは、ＭＰＥＧ２ビデオデコーダ１０７に送られてデコードされる。音声パケットは、ＭＰＥＧオーディオデコーダ１１０に送られてデコードされる。
マルチプログラム方式に対応したＩＲＤ１で、ディジタルビデオカセット記録／再生装置２で再生されたＭＰＥＧ２のトランスポートストリーム（シングルプログラム）をデコードする場合には、ディジタルビデオカセット記録／再生装置２からのＭＰＥＧ２のトランスポートストリームがＩＥＥＥ１３９４のインターフェイス１１２を介して入力され、デマルチプレクサ１０６に送られる。デマルチプレクサ１０６で、映像パケットと音声パケットとが分離される。映像パケットはＭＰＥＧ２ビデオデコーダ１０７に送られてデコードされる。音声パケットはＭＰＥＧオーディオデコーダ１１０に送られてデコードされる。
第３図は、ディジタルビデオカセット記録／再生装置２の構成を示すものである。このディジタルビデオカセット記録／再生装置２は、前述したように、ディジタル記録／再生とアナログ記録／再生とが行なえる。ディジタル記録／再生を行なうために、ディジタル記録処理回路２１３とディジタル再生処理回路２１８が設けられる。アナログ記録／再生を行なうために、アナログ記録記録処理回路２０４とアナログ再生処理回路２０８が設けられる。
全体の制御はＣＰＵ２２４により行なわれる。ディジタルビデオカセット記録／再生装置２に対する操作指示は、リモートコントローラ２２７によって行われ、リモートコントローラ２２７からのリモコン信号は受光部２２６で受信され、ＣＰＵ２２４に供給される。ＣＰＵ２２４には不揮発性メモリ２２５が接続されている。
ＩＲＤ１からのトランスポートストリームを記録する場合（シングルプログラム方式およびマルチプログラム方式ともに共通）には、ＩＥＥＥ１３９４のインターフェイス２２３を介して、ＩＲＤ１からのＭＰＥ２のトランスポートストリームが入力される。このＭＰＥＧ２のトランスポートストリームは、ディジタル記録処理回路２１３に供給される。ディジタル記録処理回路２１３で、このトランスポートストリームのデータに対してエラー訂正符号化処理および記録変調処理が行なわれる。ディジタル記録処理回路２１３の出力がヘッド２１４に供給される。これにより、ディジタルビデオカセット記録／再生装置２に装着されたテープカセットのビデオテープ２０６に、ＩＲＤ１からのトランスポートストリームが記録される。
ＭＰＥＧ２のトランスポートストリーム（シングルプログラム方式）が記録されているテープカセットを再生する場合には、ビデオテープ２０６の再生信号がヘッド２１７で再生され、ヘッド２１７の出力がディジタル再生処理回路２１８に供給される。ディジタル再生処理回路２１８で、復調処理およびエラー訂正処理が行なわれる。ディジタル再生処理回路２１８の出力がＩＥＥＥ１３９４のインターフェイス２２３に供給され、再生されたトランスポートストリームがＩＥＥＥ１３９４のケーブル８を介してＩＲＤ１に供給される。
ＩＲＤ１のデマルチプレクサ１０６（第２図）で、このトランスポートストリームから映像パケットと音声パケットとに分離される。映像パケットは、ＭＰＥＧ２ビデオデコーダ１０７で伸長され、フォーマットコンバータ１０８でＮＴＳＣ方式のビデオ信号に変換され、ビデオ出力端子（図示せず）からテレビジョン受像機３に送られる。音声パケットは、ＭＰＥＧオーディオデコーダ１１０で伸長され、Ｄ／Ａコンバータ１１１でアナログ信号に変換され、オーディオ出力端子（図示せず）からテレビジョン受像機３に送られる。ＭＰＥＧ２のトランスポートストリーム（マルチプログラム方式）が記録されているテープカセットを再生する場合の処理については後述する。
第３図において、地上波放送をアナログ記録する場合には、アンテナ１１で受信された信号が地上波チューナ回路２０１に供給される。地上波チューナ回路２０１で、所望の放送の受信信号が選択され、この受信信号から例えばＮＴＳＣ方式のアナログのビデオ信号及びオーディオ信号が復調される。このアナログビデオ信号及びアナログオーディオ信号がスイッチ回路２０３を介してアナログ記録処理回路２０４に供給される。アナログ記録処理回路２０４で、ビデオ信号及びオーディオ信号の記録処理が行なわれる。すなわち、輝度信号はＦＭ変調され、クロマ信号は低域周波数に変換され、オーディオ信号はＦＭ変調される。これらの信号が多重化され、この信号がヘッド２０５に供給される。ヘッド２０５により、装着されたテープカセットのテープ２０６に、アナログのビデオ信号及びオーディオ信号が記録される。
さらに外部に接続されたアナログ機器（例えば８ミリＶＴＲ）から供給されたアナログビデオ信号及びアナログオーディオ信号をアナログ記録することもできる。アナログ外部入力端子２１５から供給されたアナログビデオ信号およびアナログオーディオ信号は、スイッチ回路２０３を介してアナログ記録処理回路２０４に供給される。アナログ記録処理回路２０４で、ビデオ信号及びオーディオ信号の記録処理が行なわれる。その後の処理は上述の地上波放送をアナログ記録する場合と同じである。
アナログ記録されたテープカセットを再生する場合には、テープ２０６の信号がヘッド２０７により再生され、アナログ再生処理回路２０８に供給される。アナログ再生処理回路２０８で、ＮＴＳＣ方式のビデオ信号及びオーディオ信号の再生処理が行なわれる。すなわち、再生信号から、ＦＭ変調輝度信号と、低域変換クロマ信号と、ＦＭ変調オーディオ信号とが抽出される。ＦＭ変調輝度信号に対してＦＭ復調処理が行なわれて輝度信号が復調され、低域変換クロマ信号が３．５８ＭＨｚの搬送波周波数のクロマ信号に戻される。この輝度信号とクロマ信号とからＮＴＳＣ方式のビデオ信号が形成される。また、ＦＭ変調オーディオ信号に対してＦＭ復調処理が行なわれ、オーディオ信号が復調される。このビデオ信号及びオーディオ信号は、アナログ出力端子２１０から出力される。
また、ユーザはテレビジョン受像機３のモニタ画面に映し出されたコントロールパネルＤＩＳＰ２（第５図）により、ＩＥＥＥ１３９４のインターフェイスを介してＩＲＤ１に接続されている様々なＡＶ機器、例えば、ディジタルビデオカセット記録／再生装置２を制御することができる。例えば、コントロールパネルＤＩＳＰ２の再生ボタンを押すことによりディジタルビデオカセット記録／再生装置２に装着されたカセットテープの再生をすることができ、録画ボタンを押すことにより所望の番組をカセットテープに録画することができる。
次に第１の実施例について説明する。
上述のように、この発明が適用されたシステムでは、ＩＲＤ１とディジタルビデオカセット記録／再生装置２とがＩＥＥＥ１３９４のインターフェイスを介して接続されている。ＩＥＥＥ１３９４のインターフェイスでは、アイソクロナス伝送モードでビデオデータやオーディオデータが高速伝送できると共に、アシンクロナス伝送モードで、コマンドやステータス信号が送られる。ＩＲＤ１側では、ディジタルビデオカセット記録／再生装置２から送られてきたステータス信号を基に、第４図に示すように、動作状態が設定される。
先ず、再生以外の状態のときから説明する。第４図Ａは、再生以外の状態のときを示すものである。第４図Ａに示すように、入／出力をＩＥＥＥ１３９４を介して行なう状態であって、コントロールパネルＤＩＳＰ２（第５図）を表示しているときには、ディジタルビデオカセット記録／再生装置２が停止状態なら、ディジタル衛星放送の受信画面と、その音声が出力され、また、ディジタル衛星放送の選局が可能となる。ディジタルビデオカセット記録／再生装置２が記録一時停止状態なら、ディジタル衛星放送の受信画面と、その音声が出力され、また、ディジタル衛星放送の選局が可能となる。ディジタルビデオカセット記録／再生装置２が記録状態なら、ディジタル衛星放送の受信画面と、その音声が出力される。このときには、記録中なので、ディジタル衛星放送の選局はできなくなると共に、「記録中なので選局ができない」旨のメッセージが表示される。
コントロールパネルＤＩＳＰ２を表示していないときには、ディジタルビデオカセット記録／再生装置２が停止状態なら、ディジタル衛星放送の受信画面と、その音声が出力され、また、ディジタル衛星放送の選局が可能となる。ディジタルビデオカセット記録／再生装置２が記録一時停止状態なら、ディジタル衛星放送の受信画面と、その音声が出力され、また、ディジタル衛星放送の選局が可能となる。ディジタルビデオカセット記録／再生装置２が記録状態なら、ディジタル衛星放送の受信画面と、その音声が出力される。このときには、記録中なので、ディジタル衛星放送の選局はできなくなると共に、「記録中なので選局ができない」旨の警告のメッセージが表示される。
入／出力をアナログで行なう状態のときには、コントロールパネルＤＩＳＰ２を表示しているときには、ディジタルビデオカセット記録／再生装置２が停止状態なら、画面がグレイ画面でミュートされ、音声がミュートされる。そして、第６図に示すように、「アナログ画像のため表示できない」旨の警告ＤＩＳＰ１が表示される。このとき、ディジタル衛星放送の選局はできなくなる。ディジタルビデオカセット記録／再生装置２が記録一時停止状態なら、画面がグレイ画面でミュートされ、音声がミュートされる。そして、第６図に示すように、「アナログ画像のため表示できない」旨の警告ＤＩＳＰ１が表示される。このとき、ディジタル衛星放送の選局はできなくなる。ディジタルビデオカセット記録／再生装置２が記録状態なら、画面がグレイ画面でミュートされ、音声がミュートされる。そして、第６図に示すように、「アナログ画像のため表示できない」旨の警告ＤＩＳＰ１が表示される。このとき、ディジタル衛星放送の選局はできなくなる。
コントロールパネルＤＩＳＰ２を表示していないときには、ディジタルビデオカセット記録／再生装置２が停止状態なら、ディジタル衛星放送の受信画面と、その音声が出力され、また、ディジタル衛星放送の選局が可能となる。ディジタルビデオカセット記録／再生装置２が記録一時停止状態なら、ディジタル衛星放送の受信画面と、その音声が出力され、また、ディジタル衛星放送の選局が可能となる。ディジタルビデオカセット記録／再生装置２が記録状態なら、ディジタル衛星放送の受信画面と、その音声が出力され、また、ディジタル衛星放送の選局が可能となる。
このように、アナログで行なう状態のときには、コントロールパネルＤＩＳＰ２を表示しているときには、画面及び音声をミュートしているのは、ユーザの誤認によるコントロールパネルＤＩＳＰ２の操作を防止するためである。
つまり、ディジタル衛星放送の受信画面とコントロールパネルＤＩＳＰ２とを同時に映出すると、コントロールパネルＤＩＳＰ２により、その映出画面を録画するために、録画状態に設定できる。ところが、アナログ入力では、ディジタル衛星のトランスポートストリームを記録することはできず、アナログ状態でコントロールパネルＤＩＳＰ２により録画状態に設定されると、地上波チューナ２０１の受信画面等がアナログ記録されてしまう。このように、ディジタル衛星放送の受信画面とコントロールパネルＤＩＳＰ２とを同時に映出すると、その受信画面を記録させるために、コントロールパネルＤＩＳＰ２により録画状態に設定される可能性がある。このとき、録画状態に設定しても、ユーザの期待通りに、ディジタル衛星放送の受信画面を記録することはできない。このようなユーザの誤認による記録を防止するために、アナログで行なう状態のときには、コントロールパネルＤＩＳＰ２を表示しているときには、画面及び音声をミュートしている。
これに対して、コントロールパネルＤＩＳＰ２を表示していないときには、コントロールパネルＤＩＳＰ２により録画状態に設定することはできない。したがって、ディジタル衛星放送の受信画面が表示されても、ユーザがその受信画面を見ながら、その受信している放送をコントロールパネルＤＩＳＰ２により録画することはない。逆に、このとき、画面や音声をミュートしてしまうと、受信画面が見えないとして、ユーザに混乱を与える。このため、アナログ入出力の場合でも、コントロールパネルＤＩＳＰ２を表示していないときには、ディジタル放送の受信画面を映し出すようにしている。
次に、再生状態のときについて説明する。第４図Ｂは再生状態のときを示している。再生状態では、ディジタルで再生が行なわれているときには、コントロールパネルＤＩＳＰ２を表示しているときに、再生画面が表示され、再生音が出力される。このとき、選局は行なえなくなる。コントロールパネルＤＩＳＰ２を表示してないときにも、同様に、再生状態では、再生画面が表示され、再生音が出力され、選局は行なえなくなる。
アナログで再生が行なわれるときには、画面がグレイ画面でミュートされ、音声がミュートされる。そして、第６図に示すように、「アナログ画像のため表示できない」旨の警告ＤＩＳＰ１が表示される。このとき、ディジタル衛星放送の選局はできなくなる。コントロールパネルＤＩＳＰ２を表示していないときにも、同様に、画面がグレイ画面でミュートされ、音声がミュートされる。そして、第６図に示すように、「アナログ画像のため表示できない」旨の警告ＤＩＳＰ１が表示される。このとき、ディジタル衛星放送の選局はできなくなる。
このように、アナログ入出力を行なう状態のとき、コントロールパネルＤＩＳＰ２を表示しているときには、再生状態で、画面及び音声をミュートしていると共に、「アナログ画像のため表示できない」旨の警告ＤＩＳＰ１が表示される。ディジタルビデオカセット記録／再生装置２とＩＲＤ１との間では、ディジタルで信号が伝送されているため、アナログ記録されたテープカセットがディジタルビデオカセット記録／再生装置２に装着されてアナログ再生が行なわれる場合には、ディジタルビデオカセット記録／再生装置２からの再生信号はＩＲＤ１に信号が送られず、ＩＲＤ１を介してテレビジョン受像機３に再生画面が映出できない。そこで、このような場合には、画面及び音声がミュートされると共に、「アナログ画像のため表示できない」旨の警告ＤＩＳＰ１が表示される。
このように、アナログ記録されたテープカセットがディジタルビデオカセット記録／再生装置２に装着されてアナログ再生が行なわれる場合には、「アナログ画像のため表示できない」旨の警告が表示される。これにより、ユーザは、再生画面が映出されない原因を正しく認識することができる。つまり、ユーザは、再生画面をみるためにはアナログ再生が行われているチャンネル（ビデオ１、ビデオ２など）に切り替える必要があることを認識することができる。
なお、ディジタルビデオカセット記録／再生装置２には、このように、アナログ記録されたテープカセットが装着される可能性がある他、他のディジタル衛星放送サービスのトランスポートストリームが再生される場合や、異なる方式でディジタルビデオ信号が記録されたテープカセットが再生される場合がある。そこで、他のディジタル衛星放送サービスのトランスポートストリームが記録されたテープカセットが再生された場合や、異なる方式のトランスポートストリームが再生された場合には、「方式が異なるため表示できない」旨の警告を表示するようにしても良い。
また、本実施例においては、ＩＲＤ１からのＭＰＥＧ２のトランスポートストリームを、ディジタルビデオカセット記録／再生装置２で記録／再生させる場合について述べたが、ＩＲＤ１からのＭＰＥＧ２のトランスポートストリームをＤＶＤ、ＣＤ−Ｒやハードディスクなどの記録／再生装置で記録／再生させるようにしてもよい。
次に、第２の実施例について説明する。
ディジタルビデオカセット記録／再生装置２においては、ＩＲＤ１からＩＥＥＥ１３９４ケーブル８を介してディジタルビデオカセット記録／再生装置２に送られてくるトランスポートストリームのビデオテープに対するディジタル記録処理や、ＩＲＤ１からアナログビデオ入力端子２１５を介してディジタルビデオカセット記録／再生装置２に送られてくるアナログのビデオ信号およびオーディオ信号のビデオテープ２０６に対するアナログ記録処理を行っている最中に、ＩＲＤ１のＣＰＵ１１３はビデオカセットの背表紙部分に貼り付けられた記憶手段としてのメモリＩＣ２２８に録画番組におけるタイトル、チャンネル番号及び日時等の番組記録情報を書き込むための書込準備を行うようになされている。
この場合、番組記録情報生成手段としてのＣＰＵ１１３により、ＩＥＥＥ１３９４のインターフェイス１１２からビデオストリームが取り込まれ、当該ビデオストリームのうちＥＰＧ（Ｅｌｅｃｔｒｉｃ  Ｐｒｏｇｒａｍ  Ｇｕｉｄｅ：電子番組ガイド）の記録されているパケットからなる電子番組ガイドストリームが一旦メモリ１２０に保持され、当該メモリ１２０において電子番組ガイドストリームの中からチャンネル番号、タイトル、ジャンル、放送サービス事業者名等のスマートファイルに表示するために必要な番組付属情報としての番組付属データが抽出される。
またユーザのリモコン１１９の操作によってアナログ記録が行われる場合には記録速度として「標準」又は「３倍」が選択され、ディジタル記録が行われる場合には「ディジタル」が選択される。このときＣＰＵ１１３は、ディジタルビデオカセット記録／再生装置２によってビデオテープ２０６に番組データがアナログ記録されたときに発生する「標準」又は「３倍」、あるいはビデオテープ２０６に番組データがディジタル記録されたときに発生する「ディジタル」で表される記録方式情報や、日時、曜日、記録時間等の録画条件をＩＥＥＥ１３９４ケーブル８を介してディジタルビデオカセット記録／再生装置２のＣＰＵ２２４から得、メモリ１２０において番組付属データ及び録画条件に基づいて番組記録情報が生成される。
そしてＣＰＵ１１３により、番組記録情報はＩＥＥＥ１３９４のインターフェイス１１２からＩＥＥＥ１３９４ケーブル８及びＩＥＥＥ１３９４のインターフェイス２２３を介してアシンクロナス通信方式でディジタルビデオカセット記録／再生装置２のＣＰＵ２２４に送出される。そして、ＣＰＵ２２４により、記録制御データに基づいて番組記録情報はデータ読出書込部２２９に送出される。
データ読出書込部２２９は、コイルアンテナ（図示せず）を有し、当該コイルアンテナを介して番組記録情報に応じた変動磁界を発生させ、これをビデオカセット２０６の背表紙に貼り付けられたコイル状のアンテナ配線（図示せず）に供給することにより、当該アンテナ配線に接続されたメモリＩＣ２２８に番組記録情報が書き込れるようになされている。
これによりディジタルビデオカセット記録／再生装置２では、ＩＲＤ１のＣＰＵ２２４によってビデオテープ２０６に対する記録処理が終了したときに録画番組に関する番組記録情報がビデオカセットのメモリＩＣ２２８に速やかに書き込まれるようになされている。
ここで、ＩＲＤ１のＣＰＵ１１３の制御に基づいて番組記録情報がディジタルビデオカセット記録／再生装置２に送出されてビデオカセットのメモリＩＣ２２８に書き込まれるまでの書込処理手順を第７図のフローチャートを用いて説明する。ＣＰＵ１１３は、ＲＴ１の開始ステップから入ってステップＳＰ１に移る。ステップＳＰ１においてＣＰＵ１１３は、リモコン１１９によって指定された番組を選択して次のステップＳＰ２に移る。
ステップＳＰ２においてＣＰＵ１１３は、選択した番組データにおける電子番組ガイドストリームの中からチャンネル番号、タイトル、ジャンル、放送サービス事業者等のスマートファイルに表示するために必要な番組付属データを抽出し、次のステップＳＰ３に移る。
ステップＳＰ３においてＣＰＵ１１３は、抽出した番組付属データがスマートファイルに必要な情報であるか否かを判定する。ここで否定結果が得られると、このことは抽出した番組付属データがスマートファイルに表示すべき必要な情報ではないことを表しており、このときＣＰＵ１１３は番組付属データをメモリＩＣ２２８に書き込む必要がないのでステップＳＰ９に移って処理を終了する。
これに対してステップＳＰ３において肯定結果が得られると、このことは抽出した番組付属データがスマートファイルに表示すべき必要な情報であることを表しており、このときＣＰＵ１１３は次のステップＳＰ４に移る。ステップＳＰ４においてＣＰＵ１１３は、番組付属データをメモリ１２０上に一旦保持して次のステップＳＰ５に移る。
ステップＳＰ５においてＣＰＵ１１３は、ビデオテープ２０６に対する記録処理が開始されたか否かを判定する。ここで否定結果が得られると、このことは未だビデオテープ２０６に対する記録処理が開始されていないことを表しており、このときＣＰＵ１１３は記録処理が開始されるまで上述の判定処理を繰り返す。
これに対してステップＳＰ５において肯定結果が得られると、このことはビデオテープ２０６に対する記録処理が既に開始されたことを表しており、このときＣＰＵ１１３はビデオテープ２０６に対する記録処理が終了した時点で速やかに番組記録情報をメモリＩＣ２２８に記録するための書込準備を行う必要があり、次のステップＳＰ６に移る。
ここで、放送サービス事業者から通信衛星を介して送られてくる番組データに付加された番組付属データのジャンルの名称と、ディジタルビデオカセット記録／再生装置２においてスマートファイルに表示するジャンルの名称とは必ずしも１対１に対応していない。例えば第８図に示すように  ディジタルビデオカセット記録／再生装置２におけるジャンルの名称が「ニュース」の場合、放送事業者におけるジャンルの名称は「ニュース／報道」となる。
そこでステップＳＰ６においてＣＰＵ１１３は、メモリ１２０上に保持された番組記録情報をディジタルビデオカセット記録／再生装置２によってビデオテープ２０６に記録する前に、ジャンルの名称を変換する必要があるか否かをメモリ１２０に格納されているジャンル対応テーブル（第８図）に基づいて判定する。
ここで否定結果が得られると、このことは放送事業者におけるジャンルの名称と、ディジタルビデオカセット記録／再生装置２においてスマートファイルに表示するときのジャンルの名称とが偶然一致しており、ジャンルの名称を変換する必要がないことを表しており、このときＣＰＵ１１３はステップＳＰ８に移る。
これに対してステップＳＰ６において肯定結果が得られると、このことは放送事業者におけるジャンルの名称と、ディジタルビデオカセット記録／再生装置２におけるジャンルの名称とが一対一に対応しておらず、ビデオテープ２０６に記録する際にジャンルの名称を変換する必要があることを表しており、このときＣＰＵ１１３は次のステップＳＰ７に移る。
ステップＳＰ７においてＣＰＵ１１３は、ジャンル対応テーブルに基づいて放送サービス事業者から送られてくるジャンルの名称をディジタルビデオカセット記録／再生装置２におけるジャンルの名称に変換し、ユーザによって記録指定された「標準」、「３倍」（アナログ記録）又はディジタル（ディジタル記録）の記録方式情報、及び日時、曜日、記録時間等からなる録画条件をディジタルビデオカセット記録／再生装置２のＣＰＵ２２４からＩＥＥＥ１３９４ケーブル８を介して得た後、これらの録画条件及びジャンル変換された番組付属データに基づいて番組記録情報を生成して次のステップＳＰ８に移る。
ステップＳＰ８においてＣＰＵ１１３は、番組記録情報をメモリＩＣ２２８に書き込むための記録制御データ及び番組記録情報をＩＥＥＥ１３９４のインターフェイス１１２、ＩＥＥＥ１３９４ケーブル８及びＩＥＥＥ１３９４のインターフェイス２２３を介してディジタルビデオカセット記録／再生装置２のＣＰＵ２２４に送出することにより、メモリＩＣ２２８に対する番組記録情報の書込指示をＣＰＵ２２４に対して行い、次のステップＳＰ９において書込処理手順ＲＴ１を終了する。
続いて、ＩＲＤ１のＣＰＵ１１３の制御に基づいてメモリＩＣ２２８に一度書き込んだ番組記録情報をユーザの要求に応じて編集した後に再度メモリＩＣ２２８に書き込むまでの編集処理手順を第９図のフローチャートを用いて説明する。ＣＰＵ１１３は、ＲＴ２の開始ステップから入ってステップＳＰ１１に移る。
ステップＳＰ１１においてＣＰＵ１１３は、ディジタルビデオカセット記録／再生装置２のＣＰＵ２２４によってメモリＩＣ２２８からスマートファイルに表示すべきデータとして先程書き込まれた番組記録情報を読出書込部２２９によって読み出させ、これをＩＥＥＥ１３９４のインターフェイス２２３、ＩＥＥＥ１３９４ケーブル８及びＩＥＥＥ１３９４のインターフェイス１１２を介して受け取り、次のステップＳＰ１２に移る。
ステップＳＰ１２においてＣＰＵ１１３は、受け取った番組記録情報を編集するに当たって、ディジタルビデオカセット記録／再生装置２におけるジャンルの名称と放送事業者におけるジャンルの名称とが一体一に対応しておらず、放送サービス事業者におけるジャンルの名称に逆変換して一度戻す必要があるか否かを判定する。
ここで否定結果が得られると、このことは逆変換する必要のあるジャンルが存在していないことを表しており、このときＣＰＵ１１３はステップＳＰ１４に移る。これに対してステップＳＰ１２において肯定結果が得られると、このことは逆変換する必要のあるジャンルが存在することを表しており、このときＣＰＵ１１３はステップＳＰ１３に移る。
ステップＳＰ１３においてＣＰＵ１１３は、ジャンルの名称を逆変換して番組記録情報を編集処理できる状態にして、次のステップＳＰ１４に移る。ステップＳＰ１４においてＣＰＵ１１３は、編集処理できる状態の番組記録情報をメモリ１２０に保持して次のステップＳＰ１５に移る。
ステップＳＰ１５においてＣＰＵ１１３は、ユーザのリモコン１１９の操作によって編集指示命令がなされたか否かを判定する。ここで否定結果が得られると、このことは編集指示命令が出されていないことを表しており、このときＣＰＵ１１３はユーザから編集指示命令が出されるまで待ち続ける。
これに対してステップＳＰ１５において肯定結果が得られると、このことは編集指示命令が出されたことを表しており、このときＣＰＵ１１３はステップＳＰ１６に移り、ユーザのリモコン１１９の操作に基づいてタイトルの変更等の編集処理を実行し、次のステップＳＰ１７に移る。
ステップＳＰ１７においてＣＰＵ１１３は、メモリ１２０上に保持されている編集処理終了後の番組記録情報におけるジャンルの名称をスマートファイルで表示するときのジャンルの名称に再度変換する必要があるか否かを判定する。ここで否定結果が得られるとＣＰＵ１１３は、変換処理を行わずにステップＳＰ１９に移る。
これに対してステップＳＰ１７において肯定結果が得られると、ＣＰＵ１１３は、次のステップＳＰ１８に移ってジャンルの名称をスマートファイルで表示するときのために変換し、次のステップＳＰ１９に移る。
ステップＳＰ１９においてＣＰＵ１１３は、編集処理終了後の番組記録情報をメモリＩＣ２２８に書き込むための記録制御データと編集処理終了後の番組記録情報とをＩＥＥＥ１３９４のインターフェイス１１２、ＩＥＥＥ１３９４ケーブル８及びＩＥＥＥ１３９４のインターフェイス２２３を介してディジタルビデオカセット記録／再生装置２のＣＰＵ２２４に送出することにより、編集処理された番組記録情報の書込指示をＣＰＵ２２４に対して行い、次のステップＳＰ２０に移って書込処理手順ＲＴ２を終了する。
次に上述の手順でメモリＩＣ２２８に書き込まれた番組記録情報を読み出し、テレビジョン受像機３に表示する場合を説明する。ユーザからコントロールパネルＤＩＳＰ２などからディジタルビデオカセット記録／再生装置２に装着されたビデオカセットの番組記録情報の表示指示が行なわれると（例えば、コントロールパネルＤＩＳＰ２内の「Ｓｍａｒｔ  Ｆｉｌｅ」のボタンが押される）、ＩＲＤ１のＣＰＵ１１３は、まずＣＰＵ２２４によってメモリＩＣ２２８から読出書込部２２９を介して番組記録情報を読み出させ、当該番組記録情報をＩＥＥＥ１３９４ケーブル８を介して受け取る。
ＩＲＤ１のＣＰＵ１１３は、番組記録情報をＩＥＥＥ１３９４のインターフェイス１１２からＭＰＥＧ２ビデオデコーダ１０７に送出する。ＭＰＥＧ２ビデオデコーダ１０７は、番組記録情報に対してグラフィックス処理を施すことによりスマートファイル画像データを生成し、これをフォーマットコンバータ１０８に送出する。
フォーマットコンバータ１０８は、スマートファイル画像データをＮＴＳＣ方式の輝度信号及び色差信号に変換し、アナログ信号化してスマートファイル画像信号を生成し、これを第１０図に示すような番組記録情報表示画面としてのスマートファイル画面５０としてテレビジョン受像機３に表示する。
また、番組データが記録されたビデオテープ２０６をディジタルビデオカセット記録／再生装置２によって再生する再生モードの場合に、ユーザからコントロールパネルＤＩＳＰ２などからディジタルビデオカセット記録／再生装置２に装着されたビデオカセットの番組記録情報の表示指示が行なわれる場合には、ビデオカセットのメモリＩＣ２２８から読み出だされたスマートファイル画面５０を再生映像に重ねてテレビジョン受像機３に表示することも可能である。
このスマートファイル画面５０は、全４ページで構成され、現在表示されている１／４ページのタイトル表示領域５１にビデオカセットのタイトル「ＳＦ映画特集」が表示され、表示領域５２に「標準」速度のアナログ方式で記録した場合に１時間３０分のブランクタイム（空き時間）が残っていることが表示されている。
また、スマートファイル画面５０は、番組情報表示領域５３に日時及び曜日として「１２／２３火」、チャンネル番号として「ＣＨ７００」、タイトルとして「ジャッカロ」、ジャンルとして「映画」及び記録速度としてアナログ方式の「標準」、録画時間として「１時間３０分」が表示されている。
また番組情報表示領域５４には、日時及び曜日として「１２／２３火」、チャンネル番号として「ＣＨ７００」、タイトルとして「フェイスオン」、ジャンルとして「映画」及び記録速度としてアナログ方式の「３倍」、録画時間として「１時間３０分」が表示されている。
さらに番組情報表示領域５５には、日時及び曜日として「１２／２３火」、チャンネル番号として「ＣＨ７００」、タイトルとして［ディープインパクツ」、ジャンルとして「映画」及び記録速度としてディジタル方式の「ディジタル」、録画時間として「１時間３０分」が表示されている。
また、スマートファイル画面５０は、最下段にバー表示５９がなされ、ブランクタイム部分６０がビデオテープ２０６の始めから終わりまでの中でどのような位置にあるかを色分けして表示されており、これによりユーザにブランクタイム部分６０の位置を容易に認識させるようになされている。また、「ディープインパクツ」の番組情報表示領域５５が選択されると、「ディープインパクツ」の番組が記録されている部分がビデオテープ２０６の始めから終わりまでの中でどのような位置にあるかわかるように色分けして表示される。
また、スマートファイル画面５０は、現在のビデオテープ２０６の位置に対応する情報表示領域が色分けして表示されてる。例えば、現在のビデオテープ２０６の位置が「ディープインパクツ」の番組途中にある場合は、「ディープインパクツ」に対応する情報表示領域５５が色分けして表示されてる。これによりユーザは現在のビデオテープ２０６の位置を容易に認識することができる。
さらにスマートファイル画面５０は、番組の再生中にリモコン１１９（第１図）のユーザ操作によって読み出してテレビジョン受像機３の番組映像に重ねた状態で表示することも可能であり、戻るボタン６１が選択された場合には再生中の番組映像に戻るようになされている。
このようなスマートファイル画面５０をユーザが参照することにより、これから視聴する番組の記録日時、ジャンル、タイトル名、録画時間及びアナログ又はディジタルによる記録方式情報を一目で確認し得るようになされている。
また、スマートファイル画面５０をユーザが参照して、例えば番組情報表示領域５５をリモコン１１９の操作によって指定した場合、ＩＲＤ１のＣＰＵ１１３はディジタルビデオカセット記録／再生装置２を制御して選択された番組「ディープインパクツ」をサーチして先頭部分から再生するようになされている。
次にディジタルビデオカセット記録／再生装置２において、番組データをビデオテープ２０６に記録したときにスマートファイルに表示される番組記録情報がビデオカセットのメモリＩＣ２２８に書き込まれる処理工程と、ビデオテープ２０６を再生したときにビデオカセットのメモリＩＣ２２８から読み出だされたスマートファイル画面５０を再生映像に重ねてテレビジョン受像機３に表示されるまでの処理工程を第１１図を用いて説明する。
ＩＲＤ１では、最初にステップＳＰ２１において番組データを受信した後、ステップＳＰ２２においてスマートファイルに表示すべき番組記録情報を生成してディジタルビデオカセット記録／再生装置２にＩＥＥＥ１３９４ケーブル８を介して送信すると共に、ステップＳＰ２３においてトランスポートストリームをディジタルビデオカセット記録／再生装置２にＩＥＥＥ１３９４ケーブル８を介して送信する。
ディジタルビデオカセット記録／再生装置２では、ステップＳＰ２４においてＣＰＵ２２４が番組記録情報をビデオカセット２０６のメモリＩＣ２２８に書き込むために記録制御データＤを解析し、番組記録情報をデータ読出書込部３２に送出して書込準備を行うと共に、ステップＳＰ２５においてトランスポートストリームに対してディジタル記録処理回路２１３において誤り訂正符号化処理を施してビデオテープ２０６に記録する。そしてディジタルビデオカセット記録／再生装置２では、ステップＳＰ２６においてＣＰＵ２２４が番組記録情報をビデオカセット２０６のメモリＩＣ２２８に書き込む。
続いてディジタルビデオカセット記録／再生装置２では、ステップＳＰ２７においてＣＰＵ２２４がビデオカセット２０６のメモリＩＣ２２８から番組記録情報を読み出してＩＲＤ１へＩＥＥＥ１３９４ケーブル８を介して送り返すと共に、ステップＳＰ２８においてビデオテープ２０６を再生し、ディジタル再生処理回路２１８において再生されたトランスポートストリームに対して誤り訂正復号処理を施してをＩＲＤ１へＩＥＥＥ１３９４ケーブル８を介して送り返す。
次にＩＲＤ１では、ステップＳＰ２９において番組記録情報をＭＰＥＧ２ビデオデコーダ１０７に送出し、番組記録情報に対してグラフィックス処理を施すことによりスマートファイル画像データを生成すると共に、再生トランスポートストリームに対してＭＰＥＧデコード処理を施すことにより再生ビデオデータを復元し、ステップＳＰ３３においてスマートファイル画像データと再生ビデオデータとを合成した後、ステップＳＰ３４においてＮＴＳＣ変換して再生映像に重ねた状態のスマートファイル画面５０をテレビジョン受像機３に表示し処理を終了する。
以上の構成において、ディジタルビデオカセット記録／再生装置２はＩＲＤ１のＣＰＵ１１３の制御に基づいて選択した番組データをディジタルビデオカセット記録／再生装置２を介してビデオテープ２０６に記録している最中に、ＣＰＵ１１３によって電子番組ガイドストリームの中からスマートファイルに表示するために必要な番組付属データを抽出すると共に、ディジタルビデオカセット記録／再生装置２のＣＰＵ２２４から「標準」、「３倍」又は「ディジタル」で表される記録方式情報や日時、曜日、記録時間等からなる録画条件を得、番組付属データ及び録画条件に基づいて番組記録情報を生成して書込準備を行う。
そしてディジタルビデオカセット記録／再生装置２は、ＩＲＤ１のＣＰＵ１１３の制御に基づいてＩＥＥＥ１３９４ケーブル８を介して番組記録情報をディジタルビデオカセット記録／再生装置２のＣＰＵ２２４に送出し、番組データのビデオテープ２０６に対する記録処理が終了したときに番組記録情報をビデオカセットのメモリＩＣ２２８に自動的に書き込む。
次にディジタルビデオカセット記録／再生装置２は、番組データの記録されたビデオテープ２０６を再生する場合またはユーザが図のようなコントロールパネルＤＩＳＰ２からスマートファイルモードを選択した場合、ＩＲＤ１のＣＰＵ１１３の制御に基づいてビデオカセットのメモリＩＣ２２８から番組記録情報を読み出し、ＩＥＥＥ１３９４ケーブル８を介してＩＲＤ１のＭＰＥＧ２ビデオデコーダ１０７に送出し、グラフィックス処理を施した後、テレビジョン受像機３にスマートファイル画面５０として表示する。
ユーザは、モニタ１０７に表示されたスマートファイル画面５０を見て、ビデオテープ２０６に録画されている番組の記録日時、ジャンル、タイトル名、録画時間及び「標準」、「３倍」（アナログ）又は「ディジタル」（ディジタル）によって表される記録方式情報を確認する。
以上の構成によれば、ディジタルビデオカセット記録／再生装置２は、番組データをビデオテープ２０６に記録すると共に、番組データの番組記録情報をビデオカセット２０６のメモリＩＣ２２８に自動的に記録し、番組データの記録されたビデオテープ２０６を再生する場合には、まず最初にメモリＩＣ２２８から番組記録情報を読み出して当該番組記録情報に応じたスマートファイル画面５０をテレビジョン受像機３に表示するようにしたことにより、ビデオテープ２０６に録画されている番組の記録日時、ジャンル、タイトル名、録画時間及びアナログ又はディジタルによる記録方式情報をユーザが容易に確認することができる。
これによりユーザは、スマートファイル画面５０を見てこれから視聴しようとする番組の記録方式情報を認識し、再生しようとする番組がディジタル記録されていた場合には、ディジタルビデオカセット記録／再生装置２による再生データをＩＥＥＥ１３９４ケーブル８からＩＲＤ１を経由して入力するテレビジョン受像機３のディジタルビデオ入力に切り換える。また、再生しようとする番組がアナログ記録されていた場合には、ディジタルビデオカセット記録／再生装置２によるアナログの再生信号を入力するテレビジョン受像機３のアナログビデオ入力に切り換える。すなわち、ユーザは、スマートファイル画面５０を見てこれから視聴しようとする番組を検索または認識し、所望の番組を再生し視聴する前に適切な入力切り換えを選択することができる。
またディジタルビデオカセット記録／再生装置２は、自動的にビデオカセットのメモリＩＣ３３に記録した番組記録情報をユーザによって編集処理し得るようにしたことにより、番組データに付加されている状態のままメモリＩＣ２２８に記録するだけでなく、ユーザ所望の内容に編集処理し直してメモリＩＣ２２８に記録することができる。
さらにディジタルビデオカセット記録／再生装置２は、ＩＲＤ１のＣＰＵ１１３の制御に基づいてビデオカセットのメモリＩＣ２２８に番組記録情報を自動的に記録する際、ジャンル変換テーブルに基づいてジャンルの名称を変換するようにしたことにより、漢字コードを直接受け渡して日本語変換する機能等が不要になり、その分だけ回路構成を簡素化することができる。
なお、上述の実施の形態においては、ディジタル記録を行った場合の記録方式情報として「ディジタル」をスマートファイルに表示するようにした場合について述べたが、この発明はこれに限らず、放送サービス事業者を区別するために「ディジタル１」、「ディジタル２」と記録してスマートファイルに表示したり、ディジタル記録する放送データの種類を区別するために「ディジタルＣＳ」、「ディジタルＢＳ」と記録してスマートファイルに表示したり、どのような仕様のトランスポートストリームが記録されているかを区別するために「ＭＰＥＧ２」、「ディジタルＨＤＴＶ」と記録してスマートファイルに表示するようにしても良い。
また上述の実施の形態においては、番組データをビデオテープ２０６に記録し、番組記録情報をビデオカセットのメモリＩＣ２２８に記録するようにした場合について述べたが、この発明はこれに限らず、番組データをディスク状記録媒体に記録し、番組記録情報をディスク状記録媒体のデータ記録領域以外のエリアに貼り付けられたメモリＩＣ等の記憶手段に記録するようにしても良い。この場合にも、上述の実施の形態と同様の効果を得ることができる。
また上述の実施の形態においては、番組データをビデオテープ２０６に記録し、番組記録情報をビデオカセットのメモリＩＣ２２８に記録するようにした場合について述べたが、この発明はこれに限らず、番組データをビデオテープ２０６に記録し、番組記録情報をディジタルビデオカセット記録／再生装置２内の不揮発性メモリ２２５などにビデオテープ２０６の識別ＩＤとともに記憶し、番組記録情報を読出し表示する場合には、装着されたビデオテープ２０６から識別ＩＤを判別し、対応する番組記録情報を読出し、ＩＥＥＥ１３９４を介してＩＲＤ側に送信し、表示してもよい。
さらに上述の実施の形態においては、番組記録情報をビデオカセットのメモリＩＣ２２８に非接触方式で記録するようにした場合について述べたが、この発明はこれに限らず、接触方式で記録するようにしても良い。
この発明の第１の実施例によれば、アナログ記録されたテープカセットがディジタルビデオカセット記録／再生装置に装着されてアナログ再生が行なわれる場合には、ディジタルビデオカセット記録／再生装置がアナログ再生状態であることがＩＲＤ側に伝えられ、ディジタルビデオカセット記録／再生装置がアナログ再生状態のときには、「アナログ画像のため表示できない」旨の警告が表示される。また、この発明によれば、仕様が異なるトランスポートストリームまたはＭＰＥＧ２方式以外の方式のディジタルビデオ信号が記録がされたテープカセットがディジタルビデオカセット記録／再生装置２に装着されて、再生が行われる場合には、「方式が異なるため表示できない」旨の警告が表示される。このように、正しく再生できないテープカセットが再生された場合には、再生画面が警告表示がなされるため、ユーザは、再生画面が映出されない原因を正しく認識することができ、適切な入力切り換えを選択するなどの処置をとることができる。
またこの発明の第２の実施例によれば、ユーザは、スマートファイル画面５０を見てこれから視聴しようとする番組の記録方式情報を認識し、再生しようとする番組がディジタル記録されていた場合には、ディジタルビデオカセット記録／再生装置２による再生データをＩＥＥＥ１３９４ケーブル８からＩＲＤ１を経由して入力するテレビジョン受像機３のディジタルビデオ入力に切り換える。また、再生しようとする番組がアナログ記録されていた場合には、ディジタルビデオカセット記録／再生装置２によるアナログの再生信号を入力するテレビジョン受像機３のアナログビデオ入力に切り換える。すなわち、ユーザは、スマートファイル画面５０を見てこれから視聴しようとする番組を検索または認識し、所望の番組を再生し視聴する前に適切な入力切り換えを選択することができる。
産業上の利用可能性
この発明は、例えばＩＥＥＥ１３９４のインターフェイスでディジタル衛星放送の受信装置とディジタルビデオカセット記録／再生装置とを接続したようなディジタル放送システムにおける受信装置に適用して好適なものである。
【図面の簡単な説明】
第１図はこの発明が適用されたディジタル衛星放送受信及び記録／再生システムの一例のブロック図、第２図はこの発明が適用されたディジタル衛星放送受信及び記録／再生システムにおけるＩＲＤの一例のブロック図、第３図はこの発明が適用されたディジタル衛星放送受信及び記録／再生システムにおけるディジタルビデオカセット記録／再生装置の一例のブロック図、第４図Ａ及び第４図Ｂはディジタルビデオカセット記録／再生装置の動作モードとＩＲＤの動作との関係を示す略線図、第５図はコントロールパネルの一例を示す略線図、第６図は警告表示の一例を示す路線図、第７図は番組記録情報の書込処理手順を示すフローチャート、第８図はジャンル対応テーブルを示す略線図、第９図は番組記録情報の編集処理手順を示すフローチャート、第１０図はスマートファイル画面を示す略線図、第１１図はディジタルビデオカセット記録／再生装置の処理工程を示す状態遷移図である。
【図１】
0004306126.tif 000002
【図２】
0004306126.tif 000003
【図３】
0004306126.tif 000004
【図４Ａ】
0004306126.tif 000005
【図４Ｂ】
0004306126.tif 000006
【図５】
0004306126.tif 000007
【図６】
0004306126.tif 000008
【図７】
0004306126.tif 000009
【図８】
0004306126.tif 000010
【図９】
0004306126.tif 000011
【図１０】
0004306126.tif 000012
【図１１】
0004306126.tif 000013
0004306126.tif 000014